(57)【特許請求の範囲】
【請求項１】
外部から入力される、所定のサンプリング周波数及び第１のフィールド周波数を有し画枠に関する第１のフォーマットに基づいたビデオデータを受け入れ、少なくとも前記ビデオデータのベースバンド処理を行う入力部と、
所定のサンプリング周波数及び第２のフィールド周波数を有し画枠に関する第２のフォーマットに基づいたビデオデータを処理するように設計されており、サンプリング周波数に応じたクロックで動作し前記第２のフォーマットに適合したビデオデータの圧縮処理及びエラー訂正用の符号化処理を行う処理部と、
前記処理部から出力されたビデオデータを記録媒体に書き込む出力部とからなるデジタル映像記録装置において、
前記入力部と前記処理部との間に変換部が配されており、ビデオデータの前記第１のフィールド周波数が前記第２のフィールド周波数と異なる時、前記変換部は、前記第１のフォーマットを前記第２のフォーマットに適合させつつ、前記第１のフィールド周波数と前記第２のフィールド周波数との比に応じて前記サンプリング周波数を変換してビデオデータを前記処理部に渡し、
前記処理部は、前記変換されたサンプリング周波数に応じたクロックで動作し、前記第２のフォーマットに適合したビデオデータの圧縮処理及びエラー訂正用の符号化処理を行う
デジタル映像記録装置。
【請求項２】
前記変換部は、前記第１のフォーマットが前記第２のフォーマットに一致する場合、前記第１のフォーマットを維持しつつ、第１のフィールド周波数と第２のフィールド周波数との比に応じ前記サンプリング周波数を変換してビデオデータを前記処理部に渡す
請求項１記載のデジタル映像記録装置。
【請求項３】
前記変換部は、前記第１のフォーマットが前記第２のフォーマットに一致する場合、画枠に入る有効データをそのまま保存して前記第１のフォーマットを維持しつつ、画枠に入らない無効データを調整して前記サンプリング周波数を変換する
請求項２記載のデジタル映像記録装置。
【請求項４】
前記変換部は、前記第１のフォーマットが前記第２のフォーマットと異なる場合、前記第１のフォーマットを前記第２のフォーマットに変換した上で、前記第１のフィールド周波数と前記第２のフィールド周波数との比に応じ前記サンプリング周波数を変換してビデオデータを前記処理部に渡す
請求項１記載のデジタル映像記録装置。
【請求項５】
前記変換部は、前記第１のフォーマットの画枠に含まれるデータのライン数が前記第２のフォーマットの画枠に含まれるデータのライン数と異なる場合、前記画枠に含まれるデータのライン数を調整して前記第１のフォーマットを前記第２のフォーマットに変換する
請求項４記載のデジタル映像記録装置。
【請求項６】
あるサンプリング周波数及び第１のフィールド周波数を有し画枠に関する第２のフォーマットに適合されたビデオデータを記録媒体から読み込む入力部と、
所定のサンプリング周波数及び第２のフィールド周波数を有し第２のフォーマットに基づいたビデオデータを処理するように設計されており、サンプリング周波数に応じたクロックで動作して前記第２のフォーマットに適合したビデオデータのエラー訂正用復号化処理及び伸張処理を行う処理部と、
前記処理部から出力されたビデオデータの少なくともベースバンド処理を行った上で前記ビデオデータを再生デバイスに供給する出力部とからなるデジタル映像再生装置において、
前記処理部は、前記読み込んだビデオデータのサンプリング周波数に応じたクロックで動作可能であり、前記第２のフォーマットに適合したビデオデータのエラー訂正用復号化処理及び伸張処理を行い、
前記処理部と前記出力部との間に変換部が配されており、前記読み込んだビデオデータの前記第１のフィールド周波数が前記第２のフィールド周波数と異なる時、前記変換部は、前記第２のフォーマットに適合していた前記ビデオデータを前記第１のフォーマットに戻すと共に、前記第１のフィールド周波数と前記第２のフィールド周波数との比に応じて前記読み込んだビデオデータのサンプリング周波数を所定のサンプリング周波数に変換してビデオデータを前記出力部に渡す
デジタル映像再生装置。
【請求項７】
前記変換部は、前記第１のフォーマットが前記第２のフォーマットと同一である場合、前記第１のフォーマットを維持しつつ、前記第１のフィールド周波数と前記第２のフィールド周波数との比に応じサンプリング周波数を変換してビデオデータを前記出力部に渡す
請求項６記載のデジタル映像再生装置。
【請求項８】
前記変換部は、前記第１のフォーマットが前記第２のフォーマットと同一である場合、画枠に入る有効データをそのまま残して前記第１のフォーマットを維持しつつ、画枠に入らない無効データを調整してサンプリング周波数を変換する
請求項７記載のデジタル映像再生装置。
【請求項９】
前記変換部は、前記第１のフォーマットが前記第２のフォーマットと異なる場合、前記第２のフォーマットに適合していたビデオデータを前記第１のフォーマットに戻した上で、前記第１のフィールド周波数と前記第２のフィールド周波数との比に応じサンプリング周波数を変換してビデオデータを前記出力部に渡す
請求項６記載のデジタル映像再生装置。
【請求項１０】
前記変換部は、前記第１のフォーマットの画枠に含まれるデータのライン数が第２のフォーマットの画枠に含まれるデータのライン数と異なる場合、前記画枠に含まれるデータのライン数を調整してビデオデータを前記第１のフォーマットにもどす
請求項９記載のデジタル映像再生装置。
【請求項１１】
所定のサンプリング周波数及び第１のフィールド周波数を有し画枠に関する第１のフォーマットに基づいたビデオデータを受け入れ、少なくとも前記ビデオデータのベースバンド処理を行う入力手順と、
所定のサンプリング周波数及び第２のフィールド周波数を有し画枠に関する第２のフォーマットに基づいたビデオデータを処理するようにプログラムされており、サンプリング周波数に応じた動作クロックに従って前記第２のフォーマットに適合したビデオデータの圧縮処理及びエラー訂正用の符号化処理を行う処理手順と、
前記処理手順から渡されたビデオデータを記録媒体に書き込む出力手順とからなるデジタル映像記録方法において、
ビデオデータの前記第１のフィールド周波数が前記第２のフィールド周波数と異なる時、前記入力手順と前記処理手順との間で変換手順を行い、前記第１のフォーマットを前記第２のフォーマットに適合させつつ、前記第１のフィールド周波数と前記第２のフィールド周波数との比に応じて前記サンプリング周波数を変換してビデオデータを前記処理手順に渡し、
前記処理手順は、前記変換されたサンプリング周波数に応じた動作クロックに従って、前記第２のフォーマットに適合したビデオデータの圧縮処理及びエラー訂正用の符号化処理を行う
デジタル映像記録方法。
【請求項１２】
あるサンプリング周波数及び第１のフィールド周波数を有し画枠に関する第２のフォーマットに適合されたビデオデータを記録媒体から読み込む入力手順と、
所定のサンプリング周波数及び第２のフィールド周波数を有し前記第２のフォーマットに基づいたビデオデータを処理するようにプログラムされており、サンプリング周波数に応じた動作クロックに従って前記第２のフォーマットに適合したビデオデータのエラー訂正用復号化処理及び伸張処理を行う処理手順と、
前記処理手順から渡されたビデオデータの少なくともベースバンド処理を行った上で前記ビデオデータを再生デバイスに供給する出力手順とを行うデジタル映像再生方法において、
前記処理手順は、前記読み込んだビデオデータのサンプリング周波数に応じた動作クロックに従って、前記第２のフォーマットに適合したビデオデータのエラー訂正用復号化処理及び伸張処理を行い、
前記読み込んだビデオデータの前記第１のフィールド周波数が前記第２のフィールド周波数と異なる時、前記処理手順と前記出力手順との間で変換手順を行い、前記第２のフォーマットに適合していた前記ビデオデータを前記第１のフォーマットに戻すと共に、前記第１のフィールド周波数と前記第２のフィールド周波数との比に応じて前記読み込んだビデオデータのサンプリング周波数を所定のサンプリング周波数に変換してビデオデータを前記出力手順に渡す
デジタル映像再生方法。
【発明の詳細な説明】
【０００１】
【発明の属する技術分野】
本発明はあるフィールド周波数に対応したビデオデータの記録再生装置が存在する時に、そのシステムを基本として異なるフィールド周波数に対応する記録再生装置を作る際に、装置を簡素化する方式に関する。例えば、ＶＴＲ記録再生装置のビデオ部分を簡素化する方式に関する。但し、本発明は、ＶＴＲに限られるものではない。
【０００２】
【従来の技術】
ＶＴＲ記録再生装置は、複数の異なるテレビジョンスタンダードの信号を記録、再生する為に、例えば日本、米国、欧州のそれぞれのＨＤＴＶ方式に対応が可能なデジタル磁気記録再生装置が必要である。現在のテレビジョンよりも高精細な画像を提供するＨＤＴＶは、日本が世界に先がけて開発した。日本のＨＤＴＶ方式はハイビジョンと呼ばれ走査線数が１１２５本、フィールド周波数が６０Ｈｚと決められている。一方、欧州及び米国では日本方式とは異なる方式のＨＤＴＶとなっている。例えば、欧州方式は、フィールド周波数が５０Ｈｚである。
【０００３】
この様にテレビジョン方式が異なって、番組を制作したり、送出したりする機材がそれぞれに異なると、それぞれに個別の機材を開発し、製造しなければならないため、コストが高くなってしまう。又、他の方式で制作されたソフトを上映するためには、それぞれの方式に適合したＶＴＲを用意し、別途設けたフォーマット変換装置で信号を変換した後、記録し直す必要があるため、手間も費用も重んでしまう。
【０００４】
そもそも、ＶＴＲは制作や送出をする際の中心となる機材の１つであり、一般に放送用のＶＴＲは高価であるため、異なるＨＤＴＶ方式で共通のテープトランスポートや信号処理回路及びカセットやテープが使用できれば機器コストやランニングコストの低減と成るため使用者にとって利益が大きい。又、同じＶＴＲで他の方式で記録したテープの再生が可能であれば各国間の番組変換が容易に低コストで行えるというメリットがある。
【０００５】
【発明が解決しようとする課題】
しかるに従来の磁気記録再生装置では、異なるＨＤＴＶ方式による高精細な画像を、共通の機構で記録再生できる装置はなかった。異なる周波数に対応する装置を考える場合には異なる周波数それぞれ別々にフォーマットを作り、それぞれのフィールド周波数に対応する処理装置が必要であった。具体的には，ビデオの画枠がそれぞれのフィールド周波数で違う。よって、異なるフィールド周波数に対応する装置はそれぞれ全く違ったフォーマット、全く別の装置にならざるをえなかった。
【０００６】
そこで本発明は、あるフィールド周波数に対応した基本装置となるデジタル映像記録再生装置が存在する場合、異なるフィールド周波数のビデオデータを基本装置のフォーマットに合うようにデータ変換し、適切な処理レートに変更することにより、基本装置を基に異なるフィールド周波数に対応する装置を実現することを目的とする。
【０００７】
【課題を解決するための手段】
上述した従来の技術の課題を解決し、本発明の目的を達成する為に、以下の手段を講じた。即ち、本発明の一面によれば、所定のサンプリング周波数及び第１のフィールド周波数を有し画枠に関する第１のフォーマットに基づいたビデオデータを受け入れ、少なくともビデオデータのベースバンド処理を行う入力部と、所定のサンプリング周波数及び第２のフィールド周波数を有し画枠に関する第２のフォーマットに基づいたビデオデータを処理するように設計されており、サンプリング周波数に応じたクロックで動作し第２のフォーマットに適合したビデオデータの圧縮処理及びエラー訂正用の符号化処理を行う処理部と、処理部から出力されたビデオデータを記録媒体に書き込む出力部とからなるデジタル映像記録装置において、入力部と処理部との間に変換部が配されており、ビデオデータの第１のフィールド周波数が第２のフィールド周波数と異なる時、変換部は、第１のフォーマットを第２のフォーマットに適合させつつ、第１のフィールド周波数と第２のフィールド周波数との比に応じてサンプリング周波数を変換してビデオデータを処理部に渡し、処理部は、変換されたサンプリング周波数に応じたクロックで動作し、第２のフォーマットに適合したビデオデータの圧縮処理及びエラー訂正用の符号化処理を行うことを特徴とする。具体的には、変換部は、第１のフォーマットが第２のフォーマットに一致する場合、第１のフォーマットを維持しつつ、第１のフィールド周波数と第２のフィールド周波数との比に応じサンプリング周波数を変換してビデオデータを処理部に渡す。更に具体的には、変換部は、第１のフォーマットが第２のフォーマットに一致する場合、画枠に入る有効データをそのまま保存して第１のフォーマットを維持しつつ、画枠に入らない無効データを調整してサンプリング周波数を変換する。又、変換部は、第１のフォーマットが第２のフォーマットと異なる場合、第１のフォーマットを第２のフォーマットに変換した上で、第１のフィールド周波数と第２のフィールド周波数との比に応じサンプリング周波数を変換してビデオデータを処理部に渡す。具体的には、変換部は、第１のフォーマットの画枠に含まれるデータのライン数が第２のフォーマットの画枠に含まれるデータのライン数と異なる場合、画枠に含まれるデータのライン数を調整して第１のフォーマットを第２のフォーマットに変換する。
【０００８】
本発明の他面によれば、あるサンプリング周波数及び第１のフィールド周波数を有し画枠に関する第２のフォーマットに適合されたビデオデータを記録媒体から読み込む入力部と、所定のサンプリング周波数及び第２のフィールド周波数を有し第２のフォーマットに基づいたビデオデータを処理するように設計されており、サンプリング周波数に応じたクロックで動作して第２のフォーマットに適合したビデオデータのエラー訂正用復号化処理及び伸張処理を行う処理部と、処理部から出力されたビデオデータの少なくともベースバンド処理を行った上でビデオデータを再生デバイスに供給する出力部とからなるデジタル映像再生装置において、処理部は、読み込んだビデオデータのサンプリング周波数に応じたクロックで動作可能であり、第２のフォーマットに適合したビデオデータのエラー訂正用復号化処理及び伸張処理を行い、処理部と出力部との間に変換部が配されており、読み込んだビデオデータの第１のフィールド周波数が第２のフィールド周波数と異なる時、変換部は、第２のフォーマットに適合していたビデオデータを第１のフォーマットに戻すと共に、第１のフィールド周波数と第２のフィールド周波数との比に応じて読み込んだビデオデータのサンプリング周波数を所定のサンプリング周波数に変換してビデオデータを出力部に渡す。具体的には、変換部は、第１のフォーマットが第２のフォーマットと同一である場合、第１のフォーマットを維持しつつ、第１のフィールド周波数と第２のフィールド周波数との比に応じサンプリング周波数を変換してビデオデータを出力部に渡す。更に具体的には、変換部は、第１のフォーマットが第２のフォーマットと同一である場合、画枠に入る有効データをそのまま残して第１のフォーマットを維持しつつ、画枠に入らない無効データを調整してサンプリング周波数を変換する。又、変換部は、第１のフォーマットが第２のフォーマットと異なる場合、第２のフォーマットに適合していたビデオデータを第１のフォーマットに戻した上で、第１のフィールド周波数と第２のフィールド周波数との比に応じサンプリング周波数を変換してビデオデータを出力部に渡す。例えば、変換部は、第１のフォーマットの画枠に含まれるデータのライン数が第２のフォーマットの画枠に含まれるデータのライン数と異なる場合、画枠に含まれるデータのライン数を調整してビデオデータを第１のフォーマットにもどす。
【０００９】
本装置の記録側では、変換部で対象フィールド周波数の入力信号のビデオ画枠を基となる装置の画枠と同じになるように変換すると同時に、クロックをフィールド周波数比倍に変換する。例えば、基となる装置がフィールド周波数６０ｆｉｅｌｄ／ｓで２２００ｓａｍｐｌｅ／Ｌｉｎｅ×１１２５Ｌｉｎｅ／Ｆｉｅｌｄ（有効領域１９２０ｓａｍｐｌｅ×１０８０Ｌｉｎｅ、クロック７４．２５ＭＨｚ）だとして、対象となる装置がフィールド周波数５０ｆｉｅｌｄ／ｓ、２６４０ｓａｍｐｌｅ／Ｌｉｎｅ×１１２５Ｌｉｎｅ／Ｆｉｅｌｄ（有効領域１９２０ｓａｍｐｌｅ×１０８０Ｌｉｎｅ、クロック７４．２５ＭＨｚ）だとすると、変換部で対象となる装置の２６４０ｓａｍｐｌｅ／Ｌｉｎｅ×１１２５Ｌｉｎｅ／Ｆｉｅｌｄ（有効領域１９２０ｓａｍｐｌｅ×１０８０Ｌｉｎｅ，クロック７４．２５ＭＨｚ）を２２００ｓａｍｐｌｅ／Ｌｉｎｅ×１１２５Ｌｉｎｅ／Ｆｉｅｌｄ（有効領域１９２０ｓａｍｐｌｅ×１０８０Ｌｉｎｅ、クロック６１．８７５ＭＨｚ（＝７４．２５ＭＨｚ×５０／６０））に変換する。
【００１０】
ビデオ圧縮処理や、誤り訂正符号化等のビデオエンコード処理は、変換部より先では基装置と対象装置のフィールド周波数比倍のクロックで基装置と全く同じ処理を行ない、記録フォーマットは基装置と同じになるようにする。例えば、基装置がフィールド周波数６０ｆｉｅｌｄ／ｓ、ビデオ圧縮処理出力クロック４６．４ＭＨｚで対象装置が５０ｆｉｅｌｄ／ｓだとすると、対象装置のビデオ圧縮処理出力クロックは４６．４ＭＨｚ×５０／６０＝３８．６６６６ＭＨｚで基装置と同じ処理を行なう。
【００１１】
一方、本装置の再生側では、誤り訂正処理やビデオ伸張等のビデオデコード処理は、ビデオデコードクロック変換部までは基装置と対象装置のフィールド周波数比倍のクロックで基装置と全く同じ処理を行なう。例えば、基装置がフィールド周波数６０ｆｉｅｌｄ／ｓ、ビデオ伸張入力クロック４６．４ＭＨｚで対象装置が５０ｆｉｅｌｄ／ｓだとすると対象装置のビデオ伸張入力クロックは４６．４ＭＨｚ×５０／６０＝３８．６６６６ＭＨｚで基装置とまったく同じ処理を行なう。
【００１２】
ビデオデコードクロックの変換部で対象フィールド周波数の出力信号のビデオ画枠を所望の画枠に変換すると同時に所望のクロックに変換する。例えば、基となる装置がフィールド周波数６０ｆｉｅｌｄ／ｓで２２００ｓａｍｐｌｅ／Ｌｉｎｅ×１１２５Ｌｉｎｅ／Ｆｉｅｌｄ（有効領域１９２０ｓａｍｐｌｅ×１０８０Ｌｉｎｅ、クロック７４．２５ＭＨｚ）だとして、対象となる装置の出力がフィールド周波数５０ｆｉｅｌｄ／ｓ、２６４０ｓａｍｐｌｅ／Ｌｉｎｅ×１１２５Ｌｉｎｅ／Ｆｉｅｌｄ（有効領域１９２０ｓａｍｐｌｅ×１０８０Ｌｉｎｅ、クロック７４．２５ＭＨｚ）だとすると、ビデオデコードクロック変換部の入力側では、基装置と同じ画枠かつクロックは基装置と対象装置のフィールド周波数比倍なので、２２００ｓａｍｐｌｅ／Ｌｉｎｅ×１１２５Ｌｉｎｅ／Ｆｉｅｌｄ（有効領域１９２０ｓａｍｐｌｅ×１０８０Ｌｉｎｅ、クロック６１．８７５ＭＨｚ（＝７４．２５ＭＨｚ×５０／６０））になっている。これを対象となる装置の２６４０ｓａｍｐｌｅ／Ｌｉｎｅ×１１２５Ｌｉｎｅ／Ｆｉｅｌｄ（有効領域１９２０ｓａｍｐｌｅ×１０８０Ｌｉｎｅ、クロック７４．２５ＭＨｚ）に変換する。
【００１３】
標準規格（ＳＤ）等のようにフィールド周波数によってビデオライン数や有効画枠が違う場合には、記録側では対象装置のエンコード系にビデオライン数及び有効画枠等を基装置と同じにし且つクロックを基装置と対象装置のフィールド周波数比倍になるように変換するビデオラインコンバートフィルタ付きの変換部を設ける。例えばフィールド周波数６０ｆｉｅｌｄ／ｓで有効領域７２０ｓａｍｐｌｅ×４８０Ｌｉｎｅ（１３．５ＭＨｚ）、５０ｆｉｅｌｄ／ｓで有効領域７２０ｓａｍｐｌｅ×５７６Ｌｉｎｅ（１３．５ＭＨｚ）と、画枠及びクロックが違う場合を考える。これに対応するためには、５０ｆｉｅｌｄ／ｓの７２０ｓａｍｐｌｅ×５７６Ｌｉｎｅを６０ｆｉｅｌｄ／ｓの７２０ｓａｍｐｌｅ×４８０Ｌｉｎｅにフィルタ処理でライン変換し、かつクロック周波数を１３．５ＭＨｚ×５０／６０＝１１．２５ＭＨｚに変換する。
【００１４】
一方再生側では、標準規格（ＳＤ）等のようにフィールド周波数によってビデオライン数、有効画枠が違う場合には、対象装置のデコード系に基装置と同じビデオ画枠で且つクロックが基装置と対象装置のフィールド周波数比となっているビデオ信号を、所望のビデオ画枠及びクロック周波数に変換するビデオラインコンバートフィルタ付き変換部を設ける。例えば、基となる装置がフィールド周波数６０ｆｉｅｌｄ／ｓで有効領域７２０ｓａｍｐｌｅ×４８０Ｌｉｎｅ（１３．５ＭＨｚ）だとして、対象となる装置の出力がフィールド周波数５０ｆｉｅｌｄ／ｓ、７２０ｓａｍｐｌｅ×５７６Ｌｉｎｅ（１３．５ＭＨｚ）だとすると、ビデオラインコンバートフィルタ付き変換部の入力側では基装置と同じ画枠で且つクロックが基装置と対象装置のフィールド周波数比倍なので、７２０ｓａｍｐｌｅ×４８０Ｌｉｎｅ（クロック１１．２５ＭＨｚ（＝１３．５ＭＨｚ×５０／６０））になっている。これを対象となる装置の７２０ｓａｍｐｌｅ×５７６Ｌｉｎｅ（１３．５ＭＨｚ）にビデオフィルタ付き変換部で変換する。
【００１５】
【発明の実施の形態】
本発明はあるフィールド周波数の映像記録再生装置が存在する時に、そのシステムを基本として異なるフィールド周波数に対応する映像記録再生装置を作る際に、装置を簡素化する方式である。具体的な例としてＶＴＲ記録再生装置を例にあげるのでこれより先は記録再生装置という呼び方はせず、単にＶＴＲと記述する。但し、本発明は、ＶＴＲに限られるものではない。
【００１６】
図１は、フィールド周波数６０Ｆｉｅｌｄ／ｓに対応したＶＴＲのブロック図である。これが基本となるＶＴＲになる。（Ａ）は記録側を示し、（Ｂ）は再生側を示す。入力ビデオ信号はビデオベースバンド処理部１に送られる。ビデオベースバンド処理部１は、７４．２５ＭＨｚのクロックで動作する。ここで輝度、クロマ等がコントロールされる。ビデオベースバンド処理部１で処理された信号はビデオ圧縮部２に送られる。ここではビデオ信号が圧縮され、４６．４ＭＨｚのクロックにのせられてＥＣＣエンコード＆オーディオ／ビデオ結合部４に送られる。
【００１７】
一方、入力オーディオ信号はサンプリング周波数が４８ＫＨｚである。１フィールドあたりのサンプル数を計算すると４８Ｋ／６０＝８００ｓａｍｐｌｅ／ｆｉｅｌｄとなる。１サンプルは２４ｂｉｔである。この入力オーディオ信号は、オーディオベースバンド処理部３に送られオーディオベースバンド処理が行われる。例えば、ここではゲイン調整等が行われる。オーディオベースバンド処理部３で処理された信号はＥＣＣエンコード＆オーディオ／ビデオ結合部４に送られる。ＥＣＣエンコード＆オーディオ／ビデオ結合部４ではオーディオ、ビデオそれぞれにエラー訂正コード（Ｅｒｒｏｒ  Ｃｏｒｒｅｃｔｉｏｎ  Ｃｏｄｅ、ＥＣＣ）生成を行ない、Ｃ１，Ｃ２パリティーを付加して、テープフォーマットに合うようにデータ加工を行なう。ＥＣＣエンコード＆オーディオ／ビデオ結合部４の入力クロックは、ビデオが４６．４ＭＨｚで、オーディオが４８ＫＨｚ系である。また、出力はテープ記録データとして９４ＭＨｚシリアルデータで出力される。
【００１８】
ＥＣＣエンコード＆オーディオ／ビデオ結合部４のオーディオ入力データはシリアルであり、１ｓａｍｐｌｅ６４ｂｉｔで送られる。オーディオシリアルデータフォ−マットを図２に示す。ここでわかるようにシリアルデータは２チャネル混合のＡＥＳ／ＥＢＵの形式で送られる。Ｚ，Ｍ，Ｊ，Ｅ，Ｖ，Ｕ，Ｃ，Ｐはそれぞれフラグであり、本線データはＬＳＢファストで送られてくる。図２は、２４ｂｉｔ／ｓａｍｐｌｅと２０ｂｉｔ／ｓａｍｐｌｅのデータ形式を示す。このように、ＥＣＣエンコード＆オーディオ／ビデオ結合部４のオーディオ入力はシリアルデータである。図１では、４８ＫＨｚと書いたがこれは１サンプルを１クロックと数えた時に４８ＫＨｚのレートになるという意味であり、つまりサンプリング周波数のことである。ＥＣＣエンコード＆オーディオ／ビデオ結合部４のオーディオ入力はシリアルデータなので、シリアルデータのクロック周波数で書くと４８ＫＨｚ×６４ｂｉｔ／ｓａｍｐｌｅ＝３．０７２ＭＨｚとなる。しかしオーディオは１ｓａｍｐｌｅを１単位とした周波数であるサンプリング周波数が重要であり、この例ではたまたま１ｓａｍｐｌｅが６４ｂｉｔシリアルで送られてくるが、２５６ｂｉｔで送られるという場合もありうる。このため、図１ではあえて重要な４８ＫＨｚだけを記述しており、これより先もオーディオクロックについてはサンプリング周波数で記述する。
【００１９】
ＥＣＣエンコード＆オーディオ／ビデオ結合部４で作られた信号はテープに記録される。テープ再生された信号はＥＣＣデコード＆オーディオ／ビデオ分離部５の入力となる。ＥＣＣデコード＆オーディオ／ビデオ分離部５はオーディオ、ビデオのデータに分離した後、エラー訂正コードのデコード（復号化）を行ない誤り訂正を行なう。ビデオデータはクロック４６．４ＭＨｚにのせて出力され、ビデオ伸張部６に入力される。ビデオ伸張部６では圧縮が解かれビデオベースバンド信号が出力される。この信号はビデオベースバンド処理部７に送られる。ビデオベースバンド処理部７では輝度、クロマ等がコントロールされた後、ＶＴＲ出力される。一方オーディオはＥＣＣデコード＆オーディオ／ビデオ分離部５で誤り訂正処理を行われた後、オーディオベースバンドでＥＣＣデコード＆オーディオ／ビデオ分離部５より出力される。この時のフィールドあたりサンプル数、及びサンプルあたりビット数は８００ｓａｍｐｌｅ／ｆｉｅｌｄ，２４ｂｉｔ／ｓａｍｐｌｅである。この信号がサンプリング周波数４８ＫＨｚでオーディオベースバンド処理部８に送られる。オーディオベースバンド処理部８では出力オーディオのゲインコントロール等が行われる。この信号がＶＴＲ出力オーディオとなる。
【００２０】
図３の（Ａ）はフィールド周波数６０Ｆｉｅｌｄ／ｓのビデオ記録フォーマット図である。１フィールドは６トラックから構成されており、トラック１本でビデオ１ＥＣＣ（エラー訂正コード）ブロック（積符合）が構成されている。６Ｔｒａｃｋ／Ｆｉｅｌｄであることから、ビデオは６ＥＣＣブロック／フィールドある。図３（Ａ）のテープフットプリント図のＶはビデオを表しており、ビデオは１トラックに２セクター分割されて置かれている。ビデオの１ＥＣＣブロックは２５０ｓｙｎｃ／ｔｒａｃｋであり、１セクターあたり１２５ｓｙｎｃづつおかれており、２セクターで２５０Ｓｙｎｃになる。つまり、１トラックでは２５０Ｓｙｎｃデータが存在しており、このＥＣＣブロック構成は図３（Ｂ）のようになる。１ＳｙｎｃとはＥＣＣブロックのＣ１方向データ１本のことをいう。Ｃ１ＥＣＣパリティが１２Ｂｙｔｅ，Ｃ２ＥＣＣパリティが２４Ｂｙｔｅの構成である。ビデオデータは圧縮データである。
【００２１】
図４はフィールド周波数６０Ｆｉｅｌｄ／ｓのオーディオ記録フォーマット図である。図４（Ａ）に示すテープフットプリント図のＡ０はオーディオチャネル０を表し、Ａ１はオーディオチャネル１を表し、Ａ２はオーディオチャネル２を表し、Ａ３はオーディオチャネル３を表している。オーディオＥＣＣブロック構成はオーディオのチャネル毎に１フィールドで構成されている。オーディオは１トラック、１チャネルあたり４Ｓｙｎｃづつ記録されている。よって、１フィールド分６トラックのデータを集めると４Ｓｙｎｃ／ｔｒａｃｋ・チャネル×６Ｔｒａｃｋ／Ｆｉｅｌｄ＝２４Ｓｙｎｃ／ｆｉｅｌｄ・チャネルとなり、これでオーディオ１チャネルのＥＣＣブロックを構成する。図４の（Ｂ）に示すようにオーディオＥＣＣブロックが構成され、Ｃ１ＥＣＣパリティは１２Ｂｙｔｅ，Ｃ２ＥＣＣパリティは１２Ｂｙｔｅが割り当てられている。オーディオ１サンプルあたり２４ｂｉｔであるのでこれを８ｂｉｔ×３Ｓｙｍｂｏｌに分割する。図４（Ｂ）に示すように、１Ｓａｍｐｌｅは同じＳｙｎｃに３ＢｙｔｅのデータとしてＭＳＢから入るように構成されている。１フィールドあたりでは８００ｓａｍｐｌｅのデータであるのでＥＣＣブロックで４Ｓａｍｐｌｅ分データ枠が余るが、ここにはユーザデータが割り当てられている。オーディオサンプルデータは非圧縮のデータが入る。
【００２２】
図５は、フィールド周波数５０Ｆｉｅｌｄ／ｓを実現するＶＴＲのブロック図である。（Ａ）は記録側を示し、（Ｂ）は再生側を示す。このＶＴＲは図１のフィールド周波数６０Ｆｉｅｌｄ／ｓのＶＴＲを基本としている。ビデオ圧縮部２、オーディオベースバンド処理部３、ＥＣＣエンコード＆オーディオ／ビデオ結合部４、ＥＣＣデコード＆オーディオ／ビデオ分離部５、ビデオ伸張部６及びオーディオベースバンド処理部８は、全て基本となる６０Ｆｉｅｌｄ／ｓ対応のＶＴＲと全く同じブロックを使用する。ビデオベースバンド処理部１’及びビデオベースバンド処理部７’はそれぞれビデオエンコード／デコードのベースバンド処理ブロックであるが、処理クロックが７４．２５ＭＨｚであり、基となるフィールド周波数６０Ｆｉｅｌｄ／ｓのビデオベースバンド処理部１及びビデオベースバンド処理部７の処理クロックと同じであり、ほとんど同じ処理が使えるので、実際にはビデオベースバンド処理部１’とビデオベースバンド処理部１、ビデオベースバンド処理部７’とビデオベースバンド処理部７には回路的な差異がほとんどない。
【００２３】
ビデオクロックコンバータ１１は、入力７４．２５ＭＨｚに対して出力がフィールド周波数比５０／６０倍の６１．８７５ＭＨｚとなるようなクロックコンバータである。本例はハイビジョンを考えており、フィールド周波数５０Ｈｚ，６０Ｈｚのいずれの場合にもビデオ有効フレーム領域が１９２０ｓａｍｐｌｅ×１０８０Ｌｉｎｅ（または１４４０ｓａｍｐｌｅ×１０８０Ｌｉｎｅ）という画枠であり、５０Ｈｚ，６０Ｈｚで有効画枠の違いはないので単純に５０／６０倍の６１．８７５ＭＨｚにしても無効領域を捨て去るだけであり、有効領域はすべてがそのまま有効データとなる。
【００２４】
図６に各フィールド周波数及び処理過程における画枠の違いを示した。（Ａ）はフィールド周波数６０Ｈｚの画枠、（Ｂ）はフィールド周波数５０Ｈｚの画枠、（Ｃ）はフィールド周波数５０Ｈｚの画枠をビデオクロックコンバータ１１で処理した後の画枠（信号形態）を示す。このように、ビデオクロックコンバータ１１で処理した後の信号形態（Ｃ）は無効領域も含めて６０Ｆｉｅｌｄ／ｓ、７４．２５ＭＨｚの信号形態（Ａ）と全く同じである。
【００２５】
ビデオクロックコンバータ１１から出力された６１．８７５ＭＨｚの出力信号をビデオ圧縮部２に送る。出力クロックも５０／６０倍の３８．６６６ＭＨｚとすれば、ビデオ圧縮部２にとってはクロックとデータレートが５０／６０倍になっただけであり、処理は基となる６０Ｆｉｅｌｄ／ｓＶＴＲと全く同じである。逆の言い方をすればビデオクロックコンバータ１１の役目はビデオクロックコンバータ１１以降の処理を５０／６０倍のレートで基となる６０Ｆｉｅｌｄ／ｓ対応ＶＴＲと全く同じ処理をさせることといえる。
【００２６】
一方オーディオ側は、ビデオ側のビデオクロックコンバータ１１と同じ働きを、オーディオデータパック部９で行なう。オーディオデータパック部９では、図５に書いているように４８ＫＨｚ，９６０ｓａｍｐｌｅ／ｆｉｅｌｄ×２０ｂｉｔ／ｓａｍｐｌｅ（＝１９２００ｂｉｔ／ｆｉｅｌｄ）を４０ＫＨｚ，８００ｓａｍｐｌｅ／ｆｉｅｌｄ×２４ｂｉｔ／ｓａｍｐｌｅ（＝１９２００ｂｉｔ／ｆｉｅｌｄ）にデータ変換する。これらのオーディオデータはどちらもフィールドあたり総ビット数が１９２００ｂｉｔ／ｆｉｅｌｄと同じなのでデータ変換が可能である。ここで４０ＫＨｚ＝４８ＫＨｚ×５０／６０であり、オーディオ側も、オーディオデータパック部９以降は５０／６０倍のレートで基となるフィールド周波数６０ｆｉｅｌｄ／ｓＶＴＲと全く同じ処理が出来る。
【００２７】
図７にオーディオデータパック部９の詳細構成を示す。図７の（Ａ）でわかるように、オーディオデータパック部９はＦＩＦＯコントロールとＦＩＦＯ部からなっている。データパックの１シーケンスは４８ＫＨｚ系（２０ｂｉｔ／ｓａｍｐｌｅ）で６ｓａｍｐｌｅとなっている。２０ｂｉｔ／ｓａｍｐｌｅ×６ｓａｍｐｌｅ＝１２０ｂｉｔであるが、これを４０ＫＨｚ系（２４ｂｉｔ／ｓａｍｐｌｅ）で１２０ｂｉｔ＝２４ｂｉｔ／ｓａｍｐｌｅ×５ｓａｍｐｌｅに変換する。オーディオデータパック部９にはオーディオデータがシリアルで入力されており、４８ＫＨｚ系の６４×４８ＫＨｚでシリアル１ｂｉｔづつ書込む。この時、Ｚ，Ｍ，Ｊ，Ｅ，Ｖ，Ｕ，Ｃ，ＰのフラグはＦＩＦＯに書かず、データだけをＦＩＦＯに書く。これを４０ＫＨｚ系の６４×４０ＫＨｚでシリアル１ｂｉｔづつ読出しする。但し、フラグ部分はＦＩＦＯから読出しせずに０をうめる（後段でフラグは意味のないデータである）。読出しは２４ｂｉｔを１ｓａｍｐｌｅとしてサンプル毎行ない、ＥＣＣエンコード＆オーディオ／ビデオ結合部４に送られる。図７（Ｂ）にしめすようにシーケンスの開始点はフィールドの先頭で行なうこととする。このコントロール信号として、オーディオデータパック部９にはフィールド先頭を示す信号Ｆｉｅｌｄ−Ｓｔａｒｔがきている。図７（Ｂ）には、データパックのＦＩＦＯへの書込み及び読出しの様子が書いてある。ここでＦＩＦＯが４ｂｉｔのマスで区切られているのは２０ｂｉｔ−＞２４ｂｉｔ変換の様子を分かりやすくするためであり、実際には先に述べたように１ｂｉｔ毎に書込まれており、１ｂｉｔ毎に読出されている。Ｆｉｅｌｄ−Ｓｔａｒｔについては、４８ＫＨｚ系から４０ＫＨｚ系へ変換する時オーディオデータパック部９内のＦＩＦＯコントロールが信号Ｆｉｅｌｄ−Ｓｔａｒｔを出して、変換後の４０ＫＨｚ系でフィールド先頭がどこかということを示す情報を出す。この情報を基にしてＥＣＣエンコード＆オーディオ／ビデオ結合部４においてオーディオのフィールド切れ目で区切ってオーディオデータ切り出しを行ないＥＣＣブロックを作る。
【００２８】
図５に示した、ＥＣＣエンコード＆オーディオ／ビデオ結合部４のビデオ入力及びオーディオ入力は、共に６０Ｆｉｅｌｄ／ｓの場合に比べて５０／６０倍のレートになっている。そして、ＥＣＣエンコード＆オーディオ／ビデオ結合部４の出力も５０／６０倍のレートなので、ＥＣＣエンコード＆オーディオ／ビデオ結合部４は６０Ｆｉｅｌｄ／ｓの場合と全く同じ処理を５０／６０倍のレートで処理することになる。当然ではあるが、回路等は６０Ｆｉｅｌｄ／ｓと５０Ｆｉｅｌｄ／ｓの場合で全く同じものが使える。そして、５０／６０倍のレートでテープに記録される。この時テープ走行速度、ドラム回転速度等は全て６０Ｆｉｅｌｄ／ｓの場合に比べてフィールド周波数比倍の５０／６０倍レートになっている。よって、フットプリントは基となるフィールド周波数６０Ｆｉｅｌｄ／ｓ対応ＶＴＲと５０Ｆｉｅｌｄ／ｓ対応ＶＴＲとで同じになる。
【００２９】
一方テープ再生では、基本となるフィールド周波数６０Ｆｉｅｌｄ／ｓの５０／６０倍レートのデータがＥＣＣデコード＆オーディオ／ビデオ分離部５に入力される。ＥＣＣデコード＆オーディオ／ビデオ分離部５は全て６０Ｆｉｅｌｄ／ｓの５０／６０倍のレートで処理を行なう。このためビデオ出力及びオーディオ出力は共に６０Ｆｉｅｌｄ／ｓＶＴＲの場合より５０／６０倍のレートとなる。当然ではあるが、ＥＣＣデコード＆オーディオ／ビデオ分離部５は６０Ｆｉｅｌｄ／ｓの場合と全く同じ処理でレートが違うだけなので６０Ｆｉｅｌｄ／ｓと同じ回路が使える。ＥＣＣデコード＆オーディオ／ビデオ分離部５のビデオ出力はビデオ伸張部６に入る。ビデオ伸張部６も入出力処理共に６０Ｆｉｅｌｄ／ｓの場合に比べて５０／６０倍のレートになる。当然回路は６０Ｆｉｅｌｄ／ｓの場合と全く同じものが使える。ここで，再生側のビデオクロックコンバータ１２は、記録側のビデオクロックコンバータ１１と逆の働きをする。ビデオクロックコンバータ１２は、６０Ｆｉｅｌｄ／ｓの５０／６０のレートである６１．８７５ＭＨｚから７４．２５ＭＨｚに戻す。図６に示すように有効領域は変化せず、無効領域（ブランキング部分）が増えて７４．２５ＭＨｚとなる。ビデオベースバンド処理部７’ではビデオベースバンド処理が行われ、輝度及びクロマ等の調整がされる。ビデオベースバンド処理部７’のフィールド周波数５０Ｆｉｅｌｄ／ｓ出力がＶＴＲ出力となる。
【００３０】
一方オーディオはＥＣＣデコード＆オーディオ／ビデオ分離部５で誤り訂正処理がなされた後、４０ＫＨｚ，８００ｓａｍｐｌｅ／ｆｉｅｌｄ×２４ｂｉｔ／ｓａｍｐｌｅでデータパックされた状態で、オーディオデータデパック部１０に入力される。オーディオデータデパック部１０では、オーディオデータパック部９と逆の働きをしてデータパックをほどき、元の４８ＫＨｚ，９６０ｓａｍｐｌｅ／ｆｉｅｌｄ×２０ｂｉｔ／ｓａｍｐｌｅに戻す。オーディオデータデパック部１０の詳細を図８に示す。（Ａ）に示すように，オーディオデータパック部９と同じようにＦＩＦＯコントロールで４０ＫＨｚから４８ＫＨｚへ変換されても、フィールド先頭を示す信号Ｆｉｅｌｄ−Ｓｔａｒｔが正しく伝わるようになっている。書込み側の信号Ｆｉｅｌｄ−Ｓｔａｒｔはデータデパックシーケンスの開始点であり、非常に重要な信号である。シーケンスは、オーディオデータパック部９と同じように４０ＫＨｚ系（書込み側）で５ｓａｍｐｌｅ×２４ｂｉｔ／ｓａｍｐｌｅ＝１２０ｂｉｔ、４８ＫＨｚ系（読出し側）で６ｓａｍｐｌｅ×２０ｂｉｔ＝１２０ｂｉｔが１シーケンスとなっている。オーディオデータデパック部１０でも、信号Ｆｉｅｌｄ−Ｓｔａｒｔがデータデパックシーケンス開始点となっている。
【００３１】
オーディオデータデパック部１０で処理された４８ＫＨｚ，９６０ｓａｍｐｌｅ／ｆｉｅｌｄ×２０ｂｉｔ／ｓａｍｐｌｅはオーディオベースバンド処理部８に入力され、ゲイン調整等のオーディオベースバンド処理が行われた後、ＶＴＲ出力として、フィールド周波数５０Ｆｉｅｌｄ／ｓ，４８ＫＨｚ，９６０ｓａｍｐｌｅ／ｆｉｅｌｄ×２０ｂｉｔ／ｓａｍｐｌｅで出力される。このようにしてフィールド周波数６０Ｆｉｅｌｄ／ｓＶＴＲを基として、フィールド周波数５０Ｆｉｅｌｄ／ｓに対応する。
【００３２】
これまではフィールド周波数５０Ｆｉｅｌｄ／ｓの場合について述べたが、他のフィールド周波数についても対応可能である。図９にフィールド周波数４８Ｆｉｅｌｄ／ｓの場合のブロック図を示す。（Ａ）は記録側を示し、（Ｂ）は再生側を示す。基となるＶＴＲは図１のフィールド周波数６０Ｆｉｅｌｄ／ｓＶＴＲである。ビデオ側はビデオクロックコンバータ１１及びビデオクロックコンバータ１２で先ほどのフィールド周波数５０Ｆｉｅｌｄ／ｓの場合と同様にレートをフィールド周波数比倍変換しており、この場合７４．２５ＭＨｚ＜−−−−＞５９．４ＭＨｚ（＝７４．２５ＭＨｚ×４８／６０）に変換している。
【００３３】
この様子を図１０に示した。（Ａ）はフィールド周波数６０Ｈｚの画枠、（Ｂ）はフィールド周波数４８Ｈｚの画枠、（Ｃ）はフィールド周波数４８Ｈｚの画枠をビデオクロックコンバータ１１で処理した後の画枠（信号形態）を示す。図１０を見てわかるように、フィールド周波数５０Ｆｉｅｌｄ／ｓの場合と同様に、有効領域は入力ビデオクロックコンバータ１１及び出力ビデオクロックコンバータ１２の変換でも変わらず、無効領域（ブランキング領域）だけが変化しているのがわかり、変換後は無効領域及び有効領域を含めて、基となる６０Ｆｉｅｌｄ／ｓＶＴＲの画枠と全く同じになることがわかる。
【００３４】
一方、オーディオを考えた時、基となるフィールド周波数６０Ｆｉｅｌｄ／ｓＶＴＲとフィールド周波数４８Ｆｉｅｌｄ／ｓＶＴＲにおいて、オーディオのフィールドあたり総ビット数が同じになるようにするわけだが、フィールド周波数４８Ｆｉｅｌｄ／ｓでは都合の良いフィールドあたりサンプル数、サンプルあたりビット数にならない。基となる６０Ｆｉｅｌｄ／ｓＶＴＲでオーディオが１フィールドあたり８００Ｓａｍｐｌｅ／ｆｉｅｌｄ×２４ｂｉｔ／Ｓａｍｐｌｅで記録できる。それを基にして４８ｆｉｅｌｄ／ｓＶＴＲでオーディオ入力部を４８ＫＨｚにする場合を考える。４８ｆｉｅｌｄ／ｓだから１０００ｓａｍｐｌｅ／ｆｉｅｌｄになる。単純に変換すると８００ｓａｍｐｌｅ／ｆｉｅｌｄ×２４ｂｉｔ／ｓａｍｐｌｅ＝１９２００ｂｉｔ／ｆｉｅｌｄであるので、１０００ｓａｍｐｌｅ／ｆｉｅｌｄ×１９．２ｂｉｔ／ｓａｍｐｌｅとなる。１サンプルあたり１９．２ｂｉｔは整数ビット数ではないので実現できない。そこでこれに近い９６０ｓａｍｐｌｅ／ｆｉｅｌｄ×２０ｂｉｔ／ｓａｍｐｌｅを経由して８００ｓａｍｐｌｅ／ｆｉｅｌｄ×２４ｂｉｔ／ｓａｍｐｌｅに変換する。図９にあるように一旦、オーディオレートコンバータ１３で、１０００ｓａｍｐｌｅ／ｆｉｅｌｄ×２０ｂｉｔ／ｓａｍｐｌｅ（４８ＫＨｚ、４８Ｆｉｅｌｄ／ｓ）を９６０ｓａｍｐｌｅ／ｆｉｅｌｄ×２０ｂｉｔ／ｓａｍｐｌｅ（４６．０８ＫＨｚ、４８Ｆｉｅｌｄ／ｓ）に変換する。この信号をオーディオデータパック部９でデータ変換して８００ｓａｍｐｌｅ／ｆｉｅｌｄ×２４ｂｉｔ／ｓａｍｐｌｅ（３６．８６４ＫＨｚ＝４６．０８ＫＨｚ×４８／６０，４８Ｆｉｅｌｄ／ｓ）にする。フィールド周波数５０Ｆｉｅｌｄ／ｓの場合と同じように、フィールド周波数比レートでエンコード処理を行なう。
【００３５】
デコード処理はエンコード処理と逆に行ない、オーディオデータデパック部１０で８００ｓａｍｐｌｅ／ｆｉｅｌｄ×２４ｂｉｔ／ｓａｍｐｌｅ（３６．８６４ＫＨｚ，４８Ｆｉｅｌｄ／ｓ）を９６０ｓａｍｐｌｅ／ｆｉｅｌｄ×２０ｂｉｔ／ｓａｍｐｌｅ（４６．０８ＫＨｚ，４８Ｆｉｅｌｄ／ｓ）に変換し、オーディオレートコンバータ１４で１０００ｓａｍｐｌｅ／ｆｉｅｌｄ×２０ｂｉｔ／ｓａｍｐｌｅ（４８ＫＨｚ、４８Ｆｉｅｌｄ／ｓ）に変換してＶＴＲ出力される。この際に４６．０８ＫＨｚにサンプリングレートがコンバートされているが、人間の可聴域は一般に２０ＫＨｚなのでサンプリング定理にあてはめてもサンプリング周波数は４０ＫＨｚを越えていれば良く、Ｄ／Ａ、Ａ／Ｄ等の性能を考えても４６．０８ＫＨｚのサンプリング周波数があれば十分であると考えられる。このように総ビット数が同じになるようなサンプルあたりビット数を単純に考えた場合に、整数ビットとならない場合でもサンプリングレートコンバータを用いることによりサンプリング周波数をそれほど落とさずにサンプルあたりビット数を整数ビットにすることができる。
【００３６】
上記フィールド周波数４８Ｆｉｅｌｄ／ｓを考えた場合、上記方法のサンプリングレートコンバータを用いずに１０００ｓａｍｐｌｅ／ｆｉｅｌｄ×１９ｂｉｔ／ｓａｍｐｌｅに２００ｂｉｔのスタッフィング（意味のないデータ）を足して８００ｓａｍｐｌｅ／ｆｉｅｌｄ×２４ｂｉｔ／ｓａｍｐｌｅに変換してもよい。ただし、この場合にはオーディオデータパック／デパックシーケンスが長くなるので大きいＦＩＦＯが必要である。即ち，２０ビットと２４ビットの関係に比べ，１９ビットと２４ビットの数値関係では最小公倍数が高くなってしまい，その分ＦＩＦＯのサイズが大きくなる。
【００３７】
ここまではハイビジョンを例に説明をしてきたので、図６及び図１０に示す例のようにフィールド周波数が違ってもハイビジョンの規格上有効領域の画枠が同じであり、図５のビデオクロックコンバータ１１とビデオクロックコンバータ１２でライン変換フィルタ処理はしない。しかしスタンダード規格（ＳＤ）の場合、有効領域の画枠は、フィールド周波数６０Ｆｉｅｌｄ／ｓでは７２０ｓａｍｐｌｅ×４８０Ｌｉｎｅ、フィールド周波数５０Ｆｉｅｌｄ／ｓでは７２０ｓａｍｐｌｅ×５７６Ｌｉｎｅとライン数が違っているので、ライン変換フィルタ処理が必要になる。図１１に基となるスタンダード規格のフィールド周波数６０Ｆｉｅｌｄ／ｓＶＴＲのブロック図を示す。（Ａ）は記録側を示し、（Ｂ）は再生側を示す。オーディオベースバンド処理部３及びオーディオベースバンド処理部８は、図１の例と同じである。入力ビデオベースバンド処理部１５、ビデオ圧縮部１６、ＥＣＣエンコード＆オーディオ／ビデオ結合部１７、ＥＣＣデコード＆オーディオ／ビデオ分離部１８、ビデオ伸張部１９及び出力ビデオベースバンド処理部２０は、ＳＤ用の処理ブロックである。
【００３８】
図１２にフィールド周波数６０Ｆｉｅｌｄ／ｓＶＴＲを基にしたＳＤフィールド周波数５０Ｆｉｅｌｄ／ｓＶＴＲのブロック図を示す。（Ａ）は記録側を示し、（Ｂ）は再生側を示す。また、図１３にそれぞれの画枠及び、フィールド周波数５０Ｆｉｅｌｄ／ｓの処理後の画枠を示す。（Ａ）はフィールド周波数６０Ｈｚの画枠、（Ｂ）はフィールド周波数５０Ｈｚの画枠、（Ｃ）はフィールド周波数５０Ｈｚの画枠をビデオクロックコンバータで処理した後の画枠（信号形態）を示す。図１２において、ビデオベースバンド処理部２１および２４はそれぞれ入力ビデオベースバンド処理、出力ビデオベースバンド処理を行なうが、フィールド周波数５０Ｆｉｅｌｄ／ｓ用のものであり、ライン数が違うためにフィールド周波数６０Ｆｉｅｌｄ／ｓに対応した図１１のビデオベースバンド処理部１５および２０とは全く違った処理になる。図１２のビデオライン＆クロックコンバータ２２が図５のビデオクロックコンバータ１１にあたる部分であり、フィールド周波数５０Ｆｉｅｌｄ／ｓの有効画枠７２０ｓａｍｐｌｅ×５７６Ｌｉｎｅを、基となるフィールド周波数６０Ｆｉｅｌｄ／ｓの有効画枠７２０ｓａｍｐｌｅ×４８０Ｌｉｎｅに変換するライン変換フィルタ処理を行なっている。図１３に示すように、ビデオライン＆クロックコンバータ２２で画枠を変換すると共にクロックも変更している。
【００３９】
図１２のビデオライン＆クロックコンバータ２３が、図５のビデオクロックコンバータ１２にあたる部分であり、基となるフィールド周波数６０Ｆｉｅｌｄ／ｓの有効画枠７２０ｓａｍｐｌｅ×４８０Ｌｉｎｅをフィールド周波数５０Ｆｉｅｌｄ／ｓの有効画枠７２０ｓａｍｐｌｅ×５７６Ｌｉｎｅに変換するライン変換フィルタ処理を行い、元のライン数に戻している。図１３に示すようにビデオライン＆クロックコンバータ２３で画枠を変換すると共にクロックも変更している。ハイビジョンの例と同様に、ビデオ圧縮部１６、ＥＣＣエンコード＆オーディオ／ビデオ結合部１７、ＥＣＣデコード＆オーディオ／ビデオ分離部１８及びビデオ伸張部１９はレートが変化するだけで、回路は基となるフィールド周波数６０Ｆｉｅｌｄ／ｓＶＴＲと同じものが使える。また、オーディオはハイビジョンの例と同様に処理することが出来、オーディオデータパック部９、オーディオデータデパック部１０、オーディオベースバンド処理部３及びオーディオベースバンド処理部８は図５のハイビジョンＶＴＲと全く同じものである。ＳＤの場合を例にあげて述べたが、このように画枠が違っても画枠を変換するフィルタ処理をかけることによって、基となるフィールド周波数ＶＴＲから違うフィールド周波数ＶＴＲを作ることができる。
【００４０】
【発明の効果】
本発明によれば、あるフィールド周波数に対応したビデオ記録再生装置を基本として、フォーマットを変えずにあらゆる種類のフィールド周波数、ビデオ画枠に対応するビデオ記録再生装置を実現出来る。又、ビデオのベースバンド処理、ビデオ圧縮、伸張、誤り訂正符合化等ほとんどの処理はレートが変わるだけで処理内容は基となるフィールド周波数の記録再生装置と同じなので同じ回路が使える。更に、１台の装置であらゆる種類のフィールド周波数に対応するビデオ記録再生装置を実現する場合を考えても、異なるフィールド周波数でほとんどの回路が共通に使えるので、容易にマルチフィールド周波数対応のビデオ記録再生装置が実現できる。加えて，ビデオの有効画枠が同じ場合には記録メディアのフォーマットがフィールド周波数によらず全て同じになる。よって、あるフィールド周波数で記録されたメディアを違うフィールド周波数で再生しても画像の再生が出来る。
【図面の簡単な説明】
【図１】基本となるデジタルオーディオ／ビデオ記録再生装置の一例を示すブロック図である。
【図２】シリアルで入力されるオーディオデータを示す模式図である。
【図３】ビデオデータのフォーマット図である。
【図４】オーディオデータのフォーマット図である。
【図５】本発明に係るデジタルオーディオ／ビデオ記録再生装置の実施形態を示すブロック図である。
【図６】図５に示したデジタルオーディオ／ビデオ記録再生装置の動作説明に供する模式図である。
【図７】図５に示したデジタルオーディオ／ビデオ記録再生装置に含まれるオーディオデータパック部の動作説明に供する模式図である。
【図８】図５に示したデジタルオーディオ／ビデオ記録再生装置に含まれるオーディオデータデパック部の動作説明に供する模式図である。
【図９】本発明に係るデジタルオーディオ／ビデオ記録再生装置の他の実施形態を示すブロック図である。
【図１０】図９に示したデジタルオーディオ／ビデオ記録再生装置の動作説明に供する模式図である。
【図１１】基本となるデジタルオーディオ／ビデオ記録再生装置の他の例を示すブロック図である。
【図１２】本発明に係るデジタルオーディオ／ビデオ記録再生装置の別の実施形態を示すブロック図である。
【図１３】図１２に示したデジタルオーディオ／ビデオ記録再生装置の動作説明に供する模式図である。
【符号の説明】
１…ビデオベースバンド処理部、２…ビデオ圧縮部、３…オーディオベースバンド処理部、４…ＥＣＣエンコード＆オーディオ／ビデオ結合部、５…ＥＣＣデコード＆オーディオ／ビデオ分離部、６…ビデオ伸張部、７…ビデオベースバンド処理部、８…オーディオベースバンド処理部、９…オーディオデータパック部、１０…オーディオデータデパック部、１１…ビデオクロックコンバータ、１２…ビデオクロックコンバータ、１３…オーディオレートコンバータ、１４…オーディオレートコンバータ
【図１】
0004389402.tif 000002
【図２】
0004389402.tif 000003
【図３】
0004389402.tif 000004
【図４】
0004389402.tif 000005
【図５】
0004389402.tif 000006
【図６】
0004389402.tif 000007
【図７】
0004389402.tif 000008
【図８】
0004389402.tif 000009
【図９】
0004389402.tif 000010
【図１０】
0004389402.tif 000011
【図１１】
0004389402.tif 000012
【図１２】
0004389402.tif 000013
【図１３】
0004389402.tif 000014